(57)【要約】      （修正有）【課題】対象による操作が行われることなく使用者に対象の体調が悪い旨を報知できる報知システムを提供する。【解決手段】報知システム１０は、生体である対象（患者）の体調と対応づけた脳波の基準周波数データを記憶する記憶部３１と、患者の脳波を測定する脳波測定部２２と、脳波測定部の測定した脳波の周波数成分を検出する周波数解析部２５と、記憶部が記憶する基準周波数データおよび周波数解析部が検出した脳波の周波数成分に基づいて、患者の体調が悪いか否かを判断する判断部３２と、判断部が患者の体調が悪いと判断した場合に、患者の体調が悪い旨を報知する音声入出力部４５と、を有する。【選択図】図４
2020081162.tif 000002
【特許請求の範囲】
【請求項１】
生体である対象の体調と対応づけた脳波の基準周波数データを記憶する記憶部と、
前記対象の脳波を測定する脳波測定部と、
前記脳波測定部の測定した前記脳波の周波数成分を検出する周波数解析部と、
前記記憶部が記憶する前記基準周波数データおよび前記周波数解析部が検出した前記周波数成分に基づいて、前記対象の体調が悪いか否かを判断する判断部と、
前記判断部が前記対象の体調が悪いと判断した場合に、前記対象の体調が悪い旨を報知する報知部と、を有する報知システム。
【請求項２】
前記基準周波数データは、前記対象の体調が悪い場合に検出される基準周波数範囲を含み、
前記判断部は、前記脳波の前記周波数成分が基準周波数範囲以内である場合に、前記対象の体調が悪いと判断する、請求項１に記載の報知システム。
【請求項３】
前記基準周波数範囲は、対象毎に設定されている、請求項２に記載の報知システム。
【請求項４】
生体である対象の脳波を測定し、
測定した前記脳波の周波数成分を検出し、
前記対象の体調と対応づけた脳波の基準周波数データおよび検出された前記脳波の周波数成分に基づいて、前記対象の体調が悪いか否かを判断し、
前記対象の体調が悪いと判断した場合に、前記対象の体調が悪い旨を報知する、報知方法。
【発明の詳細な説明】
【技術分野】
【０００１】
本発明は、報知システムおよび報知方法に関する。
【背景技術】
【０００２】
患者の体調が悪化した場合に看護師等の医療従事者に報知するシステムとして、下記特許文献１には、患者の体調が悪化した場合に患者の操作によって医療従事者を呼び出すナースコール子機と、医療従事者がナースコール子機による呼び出しに応答するためのナースコール親機と、を有するナースコールシステムが開示されている。
【先行技術文献】
【特許文献】
【０００３】
【特許文献１】特開平８−２８７３８３号公報
【発明の概要】
【発明が解決しようとする課題】
【０００４】
しかしながら、患者は、体調が悪化した際にナースコール子機を操作できない状況にある場合がある。このような場合、上記特許文献１に記載されているように患者の操作によって医療従事者を呼び出すシステムでは、患者の体調の悪化を医療従事者に報知することができない。
【０００５】
そこで本発明は、上記事情に鑑みてなされたものであり、対象によって操作が行われることなく使用者に対象の体調の悪化を報知できる報知システムおよび報知方法を提供することを目的とする。
【課題を解決するための手段】
【０００６】
上記目的を達成する本発明に係る報知システムは、生体である対象の体調と対応づけた脳波の基準周波数データを記憶する記憶部と、前記対象の脳波を測定する脳波測定部と、前記脳波測定部の測定した前記脳波の周波数成分を検出する周波数解析部と、前記記憶部が記憶する前記基準周波数データおよび前記周波数解析部が検出した前記周波数成分に基づいて、前記対象の体調が悪いか否かを判断する判断部と、前記判断部が前記対象の体調が悪いと判断した場合に、前記対象の体調が悪い旨を報知する報知部と、を有する。
【０００７】
上記目的を達成する本発明に係る報知方法は、生体である対象の脳波を測定し、測定した前記脳波の周波数成分を検出し、前記対象の体調と対応づけた脳波の基準周波数データおよび検出された前記脳波の周波数成分に基づいて、前記対象の体調が悪いか否かを判断し、前記対象の体調が悪いと判断した場合に、前記対象の体調が悪い旨を報知する。
【発明の効果】
【０００８】
本発明に係る報知システムおよび報知方法によれば、測定した脳波の周波数成分を検出し、体調と対応づけた脳波の基準周波数データおよび検出した脳波の周波数成分に基づいて対象の体調が悪いか否かを判断し、体調が悪い場合、使用者に対象の体調が悪い旨を使用者に報知できる。そのため、本発明に係る報知システムおよび報知方法は、対象による操作が行われることなく使用者に対象の体調が悪い旨を報知できる。
【図面の簡単な説明】
【０００９】
【図１】本発明の実施形態に係る報知システムを示す概略図である。
【図２】本発明の実施形態に係る報知システムの脳波測定装置を示す概略斜視図である。
【図３】本発明の実施形態に係る報知システムによる患者の頭部における脳波の測定部位を示す概略図である。
【図４】本発明の実施形態に係る報知システムのブロック図である。
【図５】本発明の実施形態に係る報知システムのサーバが記憶するデータを示す図である。
【図６】本発明の実施形態に係る報知方法を示すフローチャートである。
【発明を実施するための形態】
【００１０】
以下、図面を参照しながら、本発明の実施形態を説明するが、本発明の技術的範囲は特許請求の範囲の記載に基づいて定められるべきであり、以下の形態のみに制限されない。なお、図面の寸法比率は、説明の都合上誇張されており、実際の比率とは異なる場合がある。
【００１１】
図１は、本発明の実施形態に係る報知システム１０を示す概略図である。本実施形態に係る報知システム１０は、特に限定されないが、例えば、医療機関に入院している複数の患者Ｐ（対象に相当）の体調が悪い場合に、看護師等の医療従事者Ｎ（使用者に相当）にその旨を報知するシステム（ナースコールシステム）として構成できる。
【００１２】
図１を参照して概説すると、本実施形態に係る報知システム１０は、複数の脳波測定装置２０と、院内サーバ３０と、複数の医療従事者端末４０と、を有する。複数の脳波測定装置２０、院内サーバ３０、および複数の医療従事者端末４０は、特に限定されないが、例えば、ＬＡＮ（Ｌｏｃａｌ  Ａｒｅａ  Ｎｅｔｗｏｒｋ）、電話網またはデータ通信網等のネットワークを介して相互に無線通信可能に接続される。以下、報知システム１０の各部について詳述する。
【００１３】
（脳波測定装置）
図２は、本発明の実施形態に係る報知システム１０の脳波測定装置２０を示す概略斜視図である。図３は、本発明の実施形態に係る報知システム１０による患者の頭部における脳波の測定部位を示す概略図である。図４は、本発明の実施形態に係る報知システム１０のブロック図である。
【００１４】
脳波測定装置２０は、患者の脳波（Ｅｌｅｃｔｒｏｅｎｃｅｐｈａｌｏｇｒａｍ:ＥＥＧ）を測定し、測定した脳波の周波数成分を検出する。図２および図４に示すように、脳波測定装置２０は、本実施形態では、取付部２１と、脳波測定部２２と、前処理部２３と、Ａ／Ｄ変換部２４と、周波数解析部２５と、通信部２６と、音声入出力部２７と、電源スイッチ２８と、電源部２９と、を有する。以下、脳波測定装置２０の各部について詳述する。
【００１５】
取付部２１は、患者Ｐの頭部に取り付けられる。取付部２１は、湾曲した外形形状を備える本体部２１ａと、本体部２１ａから前方側に向って突出する突出部２１ｂと、を有する。
【００１６】
本体部２１ａは、患者Ｐの頭部に取り付けられた取り付け状態で、患者Ｐの頭部の両側頭部から頭頂部に亘って延在する。本体部２１ａには、本体部２１ａの長さを調整する長さ調節機構２１ｃが設けられている。
【００１７】
突出部２１ｂの先端部は、取り付け状態で患者Ｐの頭部の前頭部（額）に接触する。突出部２１ｂの先端部には、後述する脳波測定部２２を構成するアクティブ電極２２ａが取り付けられている。
【００１８】
脳波測定部２２は、患者の頭皮に接触して患者の脳波を測定する。脳波測定部２２は、本実施形態では、患者Ｐの頭部において脳波を検出可能な部位にアクティブ電極２２ａを配置し、患者の頭部において脳波が検出されない部位に基準電極２２ｂを配置する単極誘電法（基準電極誘電法）によって患者の脳波を検出する。ただし、脳波測定部は、全ての電極が患者の脳波を検出可能な部位に配置する双曲誘電法によって患者の脳波を検出してもよい。
【００１９】
脳波測定部２２は、本実施形態では、２つのアクティブ電極２２ａを有している。図３に示すように、国際１０−２０法における電極配置図に従って、各アクティブ電極２２ａは、前部前頭葉の脳波を検出できる領域Ｆｐ１、Ｆｐ２に配置されている。基準電極２２ｂは、左側の耳朶Ａ１に配置される。基準電極２２ｂは、本実施形態では、クリップによって構成している。ただし、脳波測定部が備える電極の形状、数および東部における電極の配置部位は、脳波を測定できる限り特に限定されない。
【００２０】
図４に示すように、前処理部２３は、脳波測定部２２の測定信号に対して、信号増幅やノイズ除去等の前処理を施す。前処理部２３は、特に限定されないが、公知のアナログ信号増幅回路やアナログフィルター回路等によって構成できる。
【００２１】
Ａ／Ｄ変換部２４は、前処理部２３が処理した信号をデジタル信号に変換する。
【００２２】
周波数解析部２５は、脳波の周波数成分を検出する。周波数解析部２５は、本実施形態では、ＣＰＵ、ＲＡＭ、ＲＯＭ等を含む公知のマイクロコンピュータにより構成している。ＣＰＵがＲＯＭに予め格納されている各種プログラムをそれぞれＲＡＭに読み出して実行することにより、各種動作制御が実施される。
【００２３】
周波数解析部２５は、特に限定されないが、例えば離散フーリエ変換等の公知の周波数成分の検出アルゴリズムを用いて、デジタル信号に変換された脳波の周波数成分を検出する。なお、周波数解析部２５は、周波数成分を検出する前に、ローパスフィルタやバンドパスフィルタ等のデジタルフィルタによりアンチエイリアシング処理を行ってもよい。また、周波数解析部２５が検出する周波数成分の数は、１つに限定されず、周波数解析部２５が検出する周波数成分の数は、複数であってもよい。
【００２４】
通信部２６は、院内サーバ３０および医療従事者端末４０等と通信するためのインターフェースである。通信部２６は、図１に示すように、識別ＩＤ、デジタル信号に変換された脳波、および検出した周波数成分を院内サーバ３０に送信する。識別ＩＤは、脳波および周波数成分を患者毎に識別できるものである限り特に限定されない。また、通信部２６は、脳波測定装置２０と医療従事者端末４０とを通話可能に接続している。
【００２５】
音声入出力部４５は、特に限定されないが、例えばスピーカーおよびマイクによって構成できる。音声入出力部２７は、患者Ｐの音声を取り込む。また、音声入出力部２７は、医療従事者端末４０から送信される医療従事者Ｎの音声等を出力する。
【００２６】
電源スイッチ２８は、脳波測定装置２０の電源のＯＮ／ＯＦＦを切り替える。
【００２７】
電源部２９は、脳波測定装置２０の各部に電力を供給できる限り特に限定されないが、例えば、電池等によって構成できる。
【００２８】
（院内サーバ）
図４に示すように、院内サーバ３０は、記憶部３１、ＣＰＵ３２、および通信部３３を備えている。記憶部３１、ＣＰＵ３２、および通信部３３は、バスに接続されており、バスを介して相互にデータ等をやり取りする。以下、各部について説明する。
【００２９】
記憶部３１は、各種プログラムや各種データを記憶するＲＯＭ、作業領域として一時的にプログラムやデータを記憶するＲＡＭ、オペレーティングシステムを含む各種プログラムや各種データを記憶するハードディスク等によって構成している。
【００３０】
記憶部３１は、図５に示すように、患者情報Ｄ１、体調と対応づけた脳波の基準周波数データＤ２、脳波Ｄ３、および周波数成分Ｄ４等を識別ＩＤと紐付けて記憶する。
【００３１】
患者情報Ｄ１は、医療従事者に報知する際に医療従事者が患者を特定できる程度の情報であれば特に限定されないが例えば、患者名、居室等が挙げられる。
【００３２】
基準周波数データＤ２は、体調と対応づけた脳波の周波数データであれば特に限定されない。患者の体調が悪い場合、患者の意識は痛み等により平常時から変化する。脳波の周波数は、下記表に一例として示すように、患者の意識に応じて敏感に変化する。したがって、体調と相関のある脳波の周波数成分によって、患者の体調が悪いか否かを把握できる。
【００３３】
【表１】
2020081162.tif 000003
【００３４】
基準周波数データＤ２は、本実施形態では、患者Ｐの体調が悪い場合に検出される基準周波数範囲を含む。基準周波数範囲は、本実施形態では、患者の体調と脳波の周波数との相関を調査した結果に基づいて患者毎に設定されている。ただし、基準周波数範囲は、全ての患者で一律の値に設定してもよい。基準周波数範囲を全ての患者で一律の値に設定する場合、基準周波数範囲は、例えば、患者が動揺している状況で測定される高ベータ波の範囲（周波数が２０〜３０Ｈｚとなる範囲）やガンマ波（周波数が３０〜８０Ｈｚとなる範囲）に設定してもよい（上記表１参照）。
【００３５】
脳波Ｄ３は、デジタル信号に変換した脳波の時系列データである。脳波Ｄ３は、定期的に最新の取得データに上書きされてもよいし、これまでのすべてのデータを蓄積してもよい。記憶部３１は、周波数成分Ｄ４だけでなく、脳波Ｄ３も記憶しているため、医療従事者は、必要に応じて患者Ｐの脳波を確認することができる。
【００３６】
周波数成分Ｄ４は、検出された脳波の周波数成分である。周波数成分Ｄ４は、定期的に最新の取得データに上書きされてもよいし、これまでのすべてのデータを蓄積してもよい。
【００３７】
ＣＰＵ３２は、記憶部３１に記憶されている各種プログラムに従って、各部の制御や各種の演算処理などを実行する。ＣＰＵ３２は、記憶部３１に記憶されている報知プログラムを実行することによって、患者の体調が悪いか否かを判断する判断部として機能する。以下、ＣＰＵ３２を判断部３２とも称する。
【００３８】
判断部３２は、本実施形態では、脳波の周波数成分が基準周波数範囲以内である場合に、患者の体調が悪化していると判断する。
【００３９】
通信部３３は、脳波測定装置２０および医療従事者端末４０等と通信するためのインターフェースである。通信部３３は、脳波測定装置２０から送信された識別ＩＤ、デジタル信号に変換された脳波、および検出した周波数成分を受信する。通信部３３は、体調が悪いと判断された患者の患者情報、および患者の体調が悪い旨を医療従事者端末４０に送信する。
【００４０】
（医療従事者端末）
図１に示すように、医療従事者端末４０は、報知システム１０のユーザーインターフェースとして機能する機器であり、例えば、タブレット型コンピュータ、スマートフォンまたは携帯電話等の、持ち運び可能な通信端末機器によって構成できる。
【００４１】
医療従事者端末４０は、本実施形態では、制御部４１、通信部４２、表示部４３、操作部４４、音声入出力部４５、電源スイッチ４６、および電源部４７を有する。制御部４１、通信部４２、表示部４３、操作部４４、音声入出力部４５、電源スイッチ４６、および電源部４７はバスにより相互に接続されており、バスを介して相互にデータ等をやり取りする。以下、各部について説明する。
【００４２】
制御部４１は、医療従事者端末の各部の動作を制御する。制御部４１は、ＣＰＵ、ＲＡＭ、ＲＯＭ等を含む公知のマイクロコンピュータにより構成している。ＣＰＵがＲＯＭに予め格納されている各種プログラムをそれぞれＲＡＭに読み出して実行することにより、所定の動作制御が実施される。
【００４３】
通信部４２は、脳波測定装置２０および院内サーバ３０等と通信するためのインターフェースである。通信部４２は、患者情報および患者の体調が悪化した旨を院内サーバ３０から受信する。また、通信部２６は、脳波測定装置２０と医療従事者端末４０とを通話可能に接続している。また、通信部２６は、医療従事者端末４０同士を通話可能に接続している。
【００４４】
表示部４３は、医療従事者端末４０の操作に供する情報を表示する。表示部４３は、特に限定されないが、例えば、液晶パネルによって構成できる。
【００４５】
操作部４４は、本実施形態では、使用者が医療従事者端末４０を操作するための複数のボタンによって構成している。なお、表示部４３と操作部４４とは、タッチパネル等により一体的に構成されていてもよい。
【００４６】
音声入出力部４５は、医療従事者Ｎの音声を取り込む。音声入出力部４５は、特に限定されないが、例えばスピーカーおよびマイクによって構成できる。音声入出力部４５は、院内サーバ３０から患者の体調が悪い旨の情報を受けた場合に、音声出力によって、その旨を医療従事者に報知する。すなわち、音声入出力部４５は、本実施形態では報知部としての機能を有する。また、音声入出力部４５は、脳波測定装置２０から送信される患者Ｐの音声や他の医療従事者端末４０から送信される他の医療従事者Ｎの音声等を出力する。
【００４７】
（報知方法）
図６は、本発明の実施形態に係る報知方法を示すフローチャートである。本実施形態に係る報知方法は、図６を参照して概説すると、患者の脳波を測定し（ステップＳ１）、測定した脳波の周波数成分を検出する（ステップＳ４）。そして、体調と対応づけた脳波の基準周波数データおよび検出した脳波の周波数成分に基づいて、患者の体調が悪いか否かを判断し（ステップＳ６）、患者の体調が悪いと判断した場合に、患者の体調が悪い旨を報知する（ステップＳ８）。以下、本実施形態に係る報知方法について詳述する。
【００４８】
まず、脳波測定部２２は、患者Ｐの脳波を測定する（ステップＳ１）。脳波測定部２２は、患者Ｐが脳波測定装置２０を取付けた状態で、かつ、電源スイッチ２８がＯＮになっている状態で、常に患者Ｐの脳波を測定してもよいし、所定のタイミングで脳波を測定してもよい。
【００４９】
次に、前処理部２３は、ステップＳ１で測定された脳波に対して、信号増幅やノイズ除去等の前処理を施す（ステップＳ２）。
【００５０】
次に、Ａ／Ｄ変換部２４は、ステップＳ２で前処理された脳波を、デジタル信号に変換する（ステップＳ３）。
【００５１】
次に、周波数解析部２５は、ステップＳ３でデジタル信号に変換された脳波の周波数成分を検出する（ステップＳ４）。
【００５２】
次に、脳波測定装置２０の通信部２６は、識別ＩＤ、ステップＳ３でデジタル信号に変換された脳波、およびステップＳ４で検出された周波数成分を院内サーバ３０に送信する（ステップＳ５）。
【００５３】
次に、判断部３２は、ステップＳ４で検出された周波数成分が基準周波数範囲以内であるか否かを判断する（ステップＳ６）。
【００５４】
ステップＳ４で検出された周波数成分Ｄ４が基準周波数範囲以内である場合（ステップＳ６：Ｙｅｓ）、判断部３２は、患者の体調が悪いと判断し、医療従事者端末４０に、患者情報Ｄ１および患者の体調が悪い旨を送信する（ステップＳ７）。
【００５５】
次に、音声入出力部４５は、患者情報Ｄ１および患者の体調が悪い旨を医療従事者Ｎに報知する（ステップＳ８）。報知を受けた医療従事者Ｎは、患者Ｐと通話してもよいし、患者情報Ｄ１に基づいて、患者の居室等を訪問してもよい。
【００５６】
ステップＳ４で検出された周波数成分Ｄ４が基準周波数範囲内でない場合（ステップＳ６：Ｎｏ）、判断部３２は、患者の体調が悪化していないと判断し、報知システム１０は、再びステップＳ１〜Ｓ６の処理を行う。
【００５７】
（作用効果）
以上説明したように、上記実施形態に係る報知システム１０は、生体である対象（患者Ｐ）の体調と対応づけた脳波の基準周波数データＤ２を記憶する記憶部３１と、患者Ｐの脳波を測定する脳波測定部２２と、脳波測定部２２の測定した脳波の周波数成分Ｄ４を検出する周波数解析部２５と、記憶部３１が記憶する基準周波数データＤ２および周波数解析部２５が検出した脳波の周波数成分Ｄ４に基づいて、患者Ｐの体調が悪いか否かを判断する判断部３２と、判断部３２が患者Ｐの体調が悪いと判断した場合に、患者Ｐの体調が悪い旨を報知する音声入出力部４５と、を有する。
【００５８】
また、上記実施形態に係る報知方法は、生体である対象（患者Ｐ）の脳波を測定し、測定した脳波の周波数成分を検出し、体調と対応づけた脳波の基準周波数データＤ２および脳波の周波数成分に基づいて、患者Ｐの体調が悪いか否かを判断し、患者Ｐの体調が悪いと判断した場合に、患者Ｐの体調が悪い旨を報知する。
【００５９】
上記報知システム１０および報知方法によれば、測定した脳波の周波数成分を検出し、体調と対応づけた脳波の基準周波数データおよび検出した脳波の周波数成分に基づいて患者の体調が悪いか否かを判断し、体調が悪い場合、使用者に患者の体調が悪い旨を報知できる。そのため、上記報知システム１０および報知方法は、患者による操作が行われることなく医療従事者に患者の体調が悪い旨を報知できる。特に上記報知システム１０および報知方法は、手足を動かしての操作が困難な者等の痛みや苦しみの伝達が困難な者の体調が悪いか否かを医療従事者に報知する際等に極めて有用である。
【００６０】
また、基準周波数データＤ２は、患者の体調が悪い場合に検出される基準周波数範囲を含み、判断部３２は、脳波の周波数成分Ｄ４が基準周波数範囲以内である場合に、患者Ｐの体調が悪化していると判断する。そのため、判断部３２は、患者Ｐの体調が悪化しているか否かを極めて簡便な処理によって判断できる。
【００６１】
また、基準周波数範囲は、患者Ｐ毎に設定されている。周波数と体調との対応関係は、患者の年齢等によって変わり得る。そのため、報知システム１０は、基準周波数範囲を患者ごとに適した値に設定できる。
【００６２】
以上、実施形態を通じて本発明に係る報知システムおよび報知方法を説明したが、本発明は明細書において説明した内容のみに限定されるものでなく、特許請求の範囲の記載に基づいて適宜変更することが可能である。
【００６３】
例えば、上記実施形態では、脳波測定装置が脳波の測定から脳波の周波数成分の検出までの処理を行い、院内サーバが周波数成分に基づいて患者の体調が悪いか否かを判断する例を説明した。しかし、報知システムの構成要素のいずれかが、周波数解析部および判断部の機能を有していればよい。例えば、院内サーバのＣＰＵが周波数解析部および判断部の機能を有していてもよい。また、例えば、脳波測定装置が、周波数解析部および判断部の機能を有していてもよい。
【００６４】
また、上記実施形態では、体調が悪いか否かの判断となる対象が医療機関の患者であり、報知を受ける者が医療従事者である例を説明した。しかし、本発明に係る報知システムおよび報知方法において、体調が悪いか否かの判断となる対象および報知を受ける者は、特に限定されない。例えば、体調が悪いか否かの判断となる対象は、被介護者であり、報知を受ける者は、介護者等であってもよい。また、例えば、体調が悪いか否かの判断となる対象は、人間のように、体調と脳波の周波数との間に相関のある動物等であり、報知を受ける者は、動物の飼育者や動物病院における医療従事者等であってもよい。
【００６５】
また、患者の体調が悪いか否かの判断は、周波数成分に基づくものである限り特に限定されない。例えば、基準周波数データは、周波数成分を体調の悪さの程度に応じて段階的に区分けした分類データを含み、判断部は、分類データおよび検出した周波数成分に基づいて、患者の体調を分類し、分類結果に基づいて患者の体調が悪いか否かを判断してもよい。また、例えば、基準周波数データは、体調が良好である場合の周波数範囲を含み、判断部は、検出した周波数成分が、体調が良好である場合の周波数範囲外である場合、患者の体調が悪いと判断してもよい。
【００６６】
また、上記実施形態では、報知部が医療従事者端末の音声入出力部によって構成されている例を説明した。しかし、報知部の構成は、医療従事者に患者の体調が悪い旨を報知できる限り特に限定されない。例えば、報知部は、医療従事者端末の表示部によって構成してもよい。
【００６７】
また、報知システムにおける各種処理を行う手段および方法は、専用のハードウェア回路、またはプログラムされたコンピュータのいずれによっても実現してもよい。また、プログラムは、インターネットなどのネットワークを介してオンラインで提供されてもよい。
【符号の説明】
【００６８】
１０    報知システム、
２０    脳波測定装置、
２２    脳波測定部、
２５    周波数解析部、
３０    院内サーバ、
３１    記憶部、
３２    ＣＰＵ（判断部）、
４０    医療従事者端末、
４５    音声入出力部（報知部）、
Ｄ１    患者情報、
Ｄ２    基準周波数データ、
Ｄ３    脳波、
Ｄ４    周波数成分、
Ｎ      医療従事者、
Ｐ      患者（対象）。
【図１】
2020081162.tif 000004
【図２】
2020081162.tif 000005
【図３】
2020081162.tif 000006
【図４】
2020081162.tif 000007
【図５】
2020081162.tif 000008
【図６】
2020081162.tif 000009